(57)【要約】      （修正有）【課題】受信電波の電界強度が強くても、多数の利用者が集まる場所で通信の需要が多く、通信混雑が発生してつながりにくいという場合や、例えつながったとしても利用者が多数のため通信速度が遅くなるという場合を、通信事業者が「電波状況が悪い」というように判断できないという問題点を解決する電波状況収集システムを提供する。【解決手段】ユーザは、ユーザ端末の存在する場所の位置情報とその場所での電波状況に対するユーザの評価を投稿情報としてコミュニティサイトに送信する。コミュニティサイトでは、受信した投稿情報に含まれる位置情報で指定される地図画像上の場所に、同じく投稿情報に含まれる電波状況のユーザの評価を示す情報を表示するようにした電波状況マップを作成する。端末からコミュニティサイトにアクセスして所望の位置情報を送信し、その位置情報に対応する場所を含む地域を電波状況マップから抽出して端末上に表示する。【選択図】図１
2014023129.tif 000002
【特許請求の範囲】
【請求項１】
自身の存在する場所の位置情報と、前記場所の電波状況のユーザによる評価とを投稿情報として送信するユーザ端末と、
各前記ユーザ端末から前記投稿情報を受信し、該投稿情報に含まれる前記位置情報で指定される地図画像上の場所に、当該投稿情報に含まれる前記評価を示す情報を表示するようにした電波状況マップを作成するコミュニティサイト部と
から構成されたことを特徴とする電波状況収集システム。
【請求項２】
自身の存在する場所の位置情報を含む投稿情報を送信するとともに、投票依頼情報の受信に応答して、前記場所の電波状況のユーザによる評価を投票情報として送信するユーザ端末と、
前記投稿情報に含まれる前記位置情報で指定される場所を含む予め定めた地域内において、予め定めた数の前記投稿情報の送信があった場合、前記投稿情報を送信した各前記
ユーザ端末に投票を促す前記投票依頼情報を送信するとともに、該投票依頼情報に応答して各前記端末から前記投票情報として送信されてきた前記評価に基づき、当該予め定めた地域内の電波状況を地図画像上に表示するようにした電波状況マップを作成するコミュニティサイト部と
から構成されたことを特徴とする電波状況収集システム。
【請求項３】
端末から前記コミュニティサイト部にアクセスし、該端末から送信される位置情報に対応する場所を含む地域を前記電波状況マップから抽出して該端末に表示することを特徴とする請求項１または２記載の電波状況収集システム。
【請求項４】
前記投稿情報には、前記ユーザ端末での電波の受信感度、干渉・雑音レベル及び受信速度並びにユーザのコメントうちの少なくとも一つを含むことを特徴とする請求項１乃至３のいずれかに記載の電波状況収集システム。
【請求項５】
各前記ユーザ端末から送信されてくる前記投稿情報を保存しておく投稿情報データベースを前記コミュニティサイト部に設けたことを特徴とする請求項１乃至４のいずれかに記載の電波状況収集システム。
【請求項６】
ユーザ端末の存在する場所の位置情報と、前記場所の電波状況のユーザによる評価とを投稿情報として前記ユーザ端末から送信する投稿情報送信ステップと、
各前記ユーザ端末から前記投稿情報を受信し、該投稿情報に含まれる前記位置情報で指定される地図画像上の場所に、該投稿情報に含まれる前記電波状況のユーザの評価を示す情報を表示して前記電波状況マップを作成する電波状況マップ作成ステップと
を含むことを特徴とする電波状況収集方法。
【請求項７】
ユーザ端末の存在する場所の位置情報を含む投稿情報を該ユーザ端末から送信する投稿情報送信ステップと、
前記投稿情報に含まれる前記位置情報で指定される場所を含む予め定めた地域内において、予め定めた数の前記投稿情報の送信があった場合、前記投稿情報を送信した各前記ユーザ端末に投票を促す前記投票依頼情報をコミュニティサイト部から送信する投票依頼情報送信ステップと、
前記投票依頼情報の受信に応答して、前記場所の電波状況のユーザによる評価を投票情報として前記ユーザ端末から送信する投票情報送信ステップと、
各前記ユーザ端末から前記投票情報として送信されてきた前記評価に基づき、前記予め定めた地域内の電波状況を地図画像上に表示するようにした電波状況マップを前記コミュニティサイト部で作成する電波状況マップ作成ステップと
を含むことを特徴とする電波状況収集方法。
【請求項８】
端末から前記コミュニティサイトにアクセスし、該端末から送信される位置情報に対応する場所を含む地域を前記電波状況マップから抽出して該端末に表示することを特徴とする請求項６または７記載の電波状況収集方法。
【請求項９】
前記投稿情報には、前記ユーザ端末での電波の受信感度、干渉・雑音レベルおよび受信速度うちの少なくとも一つを含むことを特徴とする請求項６乃至８のいずれかに記載の電波状況収集方法。
【請求項１０】
前記コミュニティサイト部に設けた投稿情報データベースに各前記ユーザ端末から送信されてくる前記投稿情報を保存することを特徴とする請求項６乃至９のいずれかに記載の電波状況収集方法。
【発明の詳細な説明】
【技術分野】
【０００１】
本発明は、電波状況のユーザによる評価を収集するための電波状況収集システムおよび方法に関する。
【背景技術】
【０００２】
近年、通信端末（携帯電話、スマートフォン、データ通信カード、Ｗｉ−Ｆｉ（ｗｉｒｅｌｅｓｓ  ｆｉｄｅｌｉｔｙ）ルータなど）の広範な普及により、外出先や移動中でのデータ通信に対する需要が非常に高まっている。
【０００３】
しかし、現状の通信サービスでは、同一の基地局のサービスエリア内においても電波状況の良い場所と悪い場所とが混在しており、例えば、基地局の設置場所や建物等の障害物の有無などにより電波状況に差異が生じることがある。さらに、繁華街や主要な駅の周辺などの、多数の利用者が集まる場所では通信の需要も多く、時間帯によっては通信混雑が発生してつながりにくくなる状況が発生する場合もある。
【０００４】
また、屋外だけでなく建物内の電波状況の改善も通信事業者のサービス品質の向上にとって重要な課題となっている。
【０００５】
そこで、ある地点での電波状況を知るための技術として、多数の通信端末のある時点での電波状況と位置の情報とを情報収集サーバに蓄積し、そして蓄えた情報を地図上に表示して利用者からの要求に応じて提供する技術が、特許文献１乃至４に記載されている。
【０００６】
特許文献１に記載のシステムによれば、上述の電波状況を地図上に表示したマップを基に、通信事業者がアンテナを設置及び増設する場所を効率的に決めることができる。
【０００７】
また、特許文献２には、上述の電波状況を地図上に表示したマップを利用者の通信端末に送信し、各利用者が事前に所望の場所の電波状況を知ることができるという技術が開示されている。
【０００８】
また、特許文献３には、上述のある地点での電波状況と現在位置の情報とに加えて、さらに、階層の高さを示す階層情報を入力するための手段を設けて、建物の各階層や大きな駅の構内図レベルでの電波状況のマップの作成が可能な技術が開示されている。
【０００９】
また、特許文献４には、通信端末が電波状況を常時確認して、受信電波の電界強度の劣化が検出されると、その時点の位置情報と電波状況とを通信端末内に保持し、次に通信端末がインターネットに接続したタイミングで保持していた上記位置情報と電波状況とを外部の記憶装置に送信し、そして、通信事業者はその収集した電界強度の劣化情報を基に通信設備の最適な増強計画を策定できる技術が開示されている。
【先行技術文献】
【特許文献】
【００１０】
【特許文献１】特開２００３−２６４４９４号広報
【特許文献２】特開２００４−２１４８７５号広報
【特許文献３】特開２００８−０４２６１０号広報
【特許文献４】特開２００８−１５３８５８号広報
【発明の概要】
【発明が解決しようとする課題】
【００１１】
しかしながら、上述の特許文献１乃至４に記載された技術においては、受信電波の電界強度を測定して、その計測値をもって電波状況の良し悪しの判断材料としている。
【００１２】
そのため、例えば、受信電波の電界強度が強くても、多数の利用者が集まる場所で通信の需要が多く、通信混雑が発生してつながりにくいというような場合や例えつながったとしても利用者が多数のため通信速度が遅くなるというような場合を、通信事業者が「電波状況が悪い」というように判断できないという問題点が特許文献１乃至４に記載された技術にはある。
【００１３】
また、一般的に、上記のように通信の需要が多くて通信混雑が発生するような場合は、通信事業者は利用者からの苦情や要求の有り／無しを判断の基準として用い、苦情や要求の多い場所について通信設備を増強し電波状況の改善を行っている。
【００１４】
しかし、上記のように通信の需要が多くて通信混雑が発生するような場所は多数存在するが、苦情や要求を通信事業者に連絡する人は限られており、その人が必ずしも上記の通信の需要の多い場所をすべて利用するとは限らない。
【００１５】
そのため、通信事業者が、電波状況の改善が必要な場所の情報を網羅的に把握することができないという問題点もある。
【００１６】
また、建物の屋内の場合、通信事業者が電波状況を測定するには、その建物の所有者との交渉が必要になり簡単にはいかないため、電波状況の良くないエリアの特定から通信設備の増強による電波状況の改善までに、長い期間を要するという問題点もある。
【００１７】
本発明の目的は、上述した問題点を解決できる電波状況収集システムおよび方法を提供することにある。
【課題を解決するための手段】
【００１８】
本発明の電波状況収集システムは、自身の存在する場所の位置情報と、前記場所の電波状況のユーザによる評価とを投稿情報として送信するユーザ端末と、各前記ユーザ端末から前記投稿情報を受信し、該投稿情報に含まれる前記位置情報で指定される地図画像上の場所に、当該投稿情報に含まれる前記評価を示す情報を表示するようにした電波状況マップを作成するコミュニティサイト部とから構成される。
【００１９】
また、本発明の電波状況収集方法は、ユーザ端末の存在する場所の位置情報と、前記場所の電波状況のユーザによる評価とを投稿情報として前記ユーザ端末から送信する投稿情報送信ステップと、各前記ユーザ端末から前記投稿情報を受信し、該投稿情報に含まれる前記位置情報で指定される地図画像上の場所に、該投稿情報に含まれる前記電波状況のユーザの評価を示す情報を表示して前記電波状況マップを作成する電波状況マップ作成ステップとを含む。
【発明の効果】
【００２０】
以上、本発明には、一般のユーザが受信電波の状況を評価し、その結果を収集することで、需要が多くて電波状況の悪い（評価の低い）場所を容易に特定できるという効果がある。
【００２１】
また、本発明には、多くのユーザから電波状況の評価を収集することで、屋外だけでなく、通信事業者では調査に時間がかかる建物の屋内の電波状況も短期間に把握することができるという効果もある。
【図面の簡単な説明】
【００２２】
【図１】図１は、本発明の第１の実施形態を示すブロック図である。
【図２】図２は、本発明の第１の実施形態におけるユーザ端末から投稿情報を入力する画面の一例を示す図である。
【図３】図３は、本発明の第１の実施形態におけるコミュニティサイトの画面の一例を示す図である。
【図４】図４は、本発明の第１の実施形態における投稿情報データベースに格納される投稿情報の一例を示す図である。
【図５】図５は、本発明の第１の実施形態の動作の概要を示すフローチャートである。
【図６】図６は、本発明の第１の実施形態における電波環境測定・投稿アプリケーションプログラムの動作を示すフローチャートである。
【図７】図７は、本発明の第２の実施形態を示すブロック図である。
【発明を実施するための形態】
【００２３】
次に、本発明について図面を参照して詳細に説明する。
【００２４】
［第１の実施形態］
図１は本発明の第１の実施形態を示すブロック図である。
【００２５】
図１を参照すると、本実施形態は、ユーザ端末１０と、コミュニティサイト２０と、通信事業者３０と、通信回線４０と、インターネット５０とから構成され、コミュニティサイト２０と通信事業者３０とは通信回線４０を介して接続されている。
【００２６】
なお、通信回線４０は、専用回線や公衆回線などの広域ネットワークでもよいし、ＬＡＮ（Ｌｏｃａｌ  Ａｒｅａ  Ｎｅｔｗｏｒｋ）などの構内回線でもよいし、それらを組み合わせた通信環境でもよい。
【００２７】
次に、ユーザ端末１０の構成及び動作について簡単に説明する。
【００２８】
図１において、ユーザ端末１０は、例えば、携帯電話、ＰＤＡ（Ｐｅｒｓｏｎａｌ  Ｄｉｇｉｔａｌ  Ａｓｓｉｓｔａｎｔ：携帯情報端末）、または、スマートフォン等であり、制御部１００と、入出力部１１０と、通信部１２０と、記憶部１３０と、位置測定部１４０とを備えている。
【００２９】
制御部１００はユーザ端末１０の各種の制御を行うもので、本実施形態では、電波環境測定・投稿アプリケーションプログラム（以下、「電波環境測定・投稿ＡＰ」とも言う。）１０１を含む。
【００３０】
なお、電波環境測定・投稿ＡＰ１０１は、ユーザ端末１０の使用者（以下、「ユーザ」とも言う。）が後述のコミュニティサイト２０からダウンロードして、ユーザ端末１０の制御部１００に格納したものである。
【００３１】
入出力部１１０は、ユーザに情報を提供するためのディスプレイ及びスピーカなどの出力回路と、ユーザが情報を入力するためのキーボード、マイクロフォン及びカメラなどの入力回路とを備える。
【００３２】
通信部１２０は、後述の通信事業者３０の基地局３００との間で無線によるデータの送受信を行う機能を持つ。そして、ユーザ端末１０は通信部１２０と基地局３００と通信回線４０とを介してコミュニティサイト２０にデータを送信する。
【００３３】
記憶部１３０は、制御部１００が実行したアプリケーションプログラムの処理結果を保持する機能を持つ。なお、記憶部１３０は、ユーザ端末１０に内蔵されたメモリ回路でもよいし、ユーザ端末１０に対して外部から着脱可能なメモリカードなどの外部記憶媒体でもよい。
【００３４】
位置測定部１４０は、例えば、ＧＰＳ（Ｇｌｏｂａｌ  Ｐｏｓｉｔｉｏｎｉｎｇ  Ｓｙｓｔｅｍ）回路などから構成され、制御部１００にユーザ端末１０の現在位置情報を通知する機能を持つ。
【００３５】
ユーザ端末１０を利用するユーザは、制御部１００に含まれる電波環境測定・投稿ＡＰ１０１を起動し、指定した測定項目の測定結果に評価やコメントを付加して投稿情報を作成し、コミュニティサイト２０に送信する。
【００３６】
ここで、電波環境測定・投稿ＡＰ１０１が、入出力部１１０のディスプレイに表示する画面の一例を図２に示す。
【００３７】
図２を参照すると、電波環境測定・投稿ＡＰ１０１は、電波状況測定画面Ｇ１を表示し、ユーザはその画面上の項目の１つまたは複数を選択することにより測定する項目を決定する。そして、電波環境測定・投稿ＡＰ１０１は、決定された測定項目の測定結果を電波状況測定結果画面Ｇ２に示すように表示する。
【００３８】
ユーザは、その電波状況測定結果を確認し、電波状況投稿画面Ｇ３から該電波状況測定結果を選択入力するとともに、評価及びコメントを入力して、これらの情報を投稿情報として、コミュニティサイト２０に送信する。
【００３９】
次にコミュニティサイト２０の構成及び動作について簡単に説明する。
【００４０】
図１において、コミュニティサイト２０は、投稿情報収集部２００と、電波状況マップ作成部２１０と、投稿情報データベース２２０と、地図データベース２３０と、電波状況マップ２４０とから構成されている。
【００４１】
ここで、コミュニティサイト２０は、通信回線４０を介して通信事業者３０と接続されていると同時に、インターネット５０にも接続され、第三者がインターネット５０と通信回線４０とを介して、コミュニティサイト２０内の電波状況マップ２４０を閲覧可能なように構成されている。
【００４２】
投稿情報データベース２２０は、上述の電波環境測定・投稿ＡＰ１０１をダウンロードした複数のユーザ端末１０から受信した投稿情報を保持する。
【００４３】
図４に投稿情報データベース２２０の一例を示す。図４において、１行目は項目名、２行目以降が各項目名で示される項目のデータの一例である。
【００４４】
図４を参照すると、投稿情報データベース２２０は、ユーザを特定するＩＤ（識別子）を示すユーザＩＤ欄と、電波状況を測定した測定日時を示す測定日時欄と、その電波状況の測定結果を参考にして作成した投稿情報をコミュニティサイト２０に投稿した投稿日時を示す投稿日時欄と、ユーザが利用している事業者を示す事業者欄と、上記電波状況を測定した場所の住所、緯度及び経度をそれぞれ示す住所欄、緯度欄及び経度欄と、上記電波状況の測定結果である受信感度、干渉・雑音レベル及び受信速度をそれぞれ示す受信感度欄、干渉・雑音レベル欄及び受信速度欄と、ユーザのコメントを示すコメント欄とを含む。
【００４５】
例えば、２行目を見ると、「０００１」があるユーザのユーザＩＤ、「２０１２／０３／２２  １２：１５」が測定日時（最初の４桁が「年」、次の２桁が「月」、次の２桁が「日」、次の２桁が「時」、最後の２桁が「分」を表し、この例では２０１２年３月２２日１２時１５分を表す。）、「２０１２／０３／２２  １２：１９」が投稿日時（この例では２０１２年３月２２日１２時１９分を表す。）、「Ｎ社」が事業者、「神奈川県川崎市・・・」が測定位置の住所、「３５．５７１８４１」が緯度（この例では北緯３５度３４分１８秒を表す。）、「１３９．６６５７７」が経度（この例では東経１３９度３９分５６秒を表す）、「−８０」が受信感度、「２５」が干渉・雑音レベル、「３５０」が受信速度、「良い」が評価、「接続までの時間も短く・・・」がコメントである。
【００４６】
地図データベース２３０は、最新の地図画像情報を保持している。
【００４７】
投稿情報収集部２００は、上述の電波環境測定・投稿ＡＰ１０１をダウンロードした複数のユーザ端末２０から送信された投稿情報を受信する機能と、その受信した投稿情報を投稿情報データベース２２０に登録する機能とを持つ。
【００４８】
電波状況マップ作成部２１０は、投稿情報収集部２００が受信し投稿情報データベース２２０に格納した上記投稿情報を取り出し、その投稿情報に含まれる測定位置情報（住所、緯度及び経度）に対応した地図画像を地図データベース２３０から抽出する。そして、その抽出した地図画像上の上記測定位置情報で指定される場所に、同じくその投稿情報に含まれる電波状況の評価を表すアイコンが表示される。
【００４９】
上記の電波状況の評価を表すアイコンは、例えば、評価が「良い」の場合は白抜き星印「☆」、「普通」の場合は白丸「○」、「悪い」の場合は黒三角「▲」、「接続不可」の場合はバツ印「×」のように、その地点の電波状況の評価を一目で判るように図形で表したものである。
【００５０】
この、地図画像上の測定位置情報で指定される場所に電波状況の評価を表すアイコンが表示されたものを「電波状況マップ」２４０と呼ぶ。
【００５１】
電波状況マップ２４０は、インターネットに接続された個人所有のパーソナルコンピュータなどの端末からコミュニティサイト２０を閲覧する第三者が参照可能なように構成され、第三者は住所を指定して希望の場所の電波状況マップを検索し、自由に閲覧することができる。
【００５２】
また、上記の電波状況の評価を表すアイコンと当該評価を付与した投稿情報とは紐付けられており、例えば、電波状況マップを表示した端末の画面上でアイコンをクリックすると、紐付けられている投稿者の評価内容、コメント、測定日時、測定地点の住所などの投稿情報の内容が表示される。
【００５３】
なお、コミュニティサイト２０は通信事業者３０内に設けてもよいし、別の通信事業者のシステム内や個人所有のコンピュータ内に設けてもよい。
【００５４】
また、コミュニティサイト２０に含まれる各構成要素の一部または全部が、同一のコンピュータ内に存在していてもよいし、相互に連携可能な別のコンピュータ内に存在していてもよい。
【００５５】
通信事業者３０は、例えば、基地局３００を有した移動体通信システム事業者である。そして、通信事業者３０は通信回線４０を介して、他の通信事業者や外部のインターネットにも接続している。
【００５６】
次に、本発明の実施形態の動作について、図５、図６のフローチャートを参照して詳細に説明する。
【００５７】
図５は本発明の実施形態の動作の概要を示すフローチャートであり、図６はユーザ端末１０で実行される電波環境測定・投稿ＡＰの動作の概要を示すフローチャートである。
【００５８】
図５を参照すると、まず、ユーザは、事前にコミュニティサイト２０から電波環境測定・投稿ＡＰ１０１をユーザ端末１０にダウンロードして、制御部１００に格納しておく（ステップＳ１）。
【００５９】
そして、ユーザは任意の時点及び場所で電波環境測定・投稿ＡＰ１０１を起動し、指定された測定項目の測定結果に評価やコメントを付加して投稿情報を作成し、その作成した投稿情報をコミュニティサイト２０に送信する（ステップＳ２）。
【００６０】
次に、コミュニティサイト２０の投稿情報収集部２００は、ユーザ端末１０から送信された投稿情報を随時受信し、投稿情報データベース２２０に格納する（ステップＳ３）。
【００６１】
次に、電波状況マップ作成部２１０は、一定時間毎に、投稿情報データベース２２０に格納された投稿情報を取り出し、その投稿情報に含まれる測定位置情報で指定される場所の地図画像を地図データベース２３０から抽出する。そして、作成部２１０は、その抽出した地図画像上の当該測定位置情報で指定される場所に、同じくその投稿情報に含まれる電波状況の評価に対応するアイコンを表示して電波状況マップ２４０を作成する（ステップＳ４）。
【００６２】
次に、電波状況マップ作成部２１０は、作成した電波状況マップ２４０を第三者がインターネット５０を介して参照可能なようにコミュニティサイト２０内に保持する（ステップＳ５）。
【００６３】
ここで、上述の電波状況マップ２４０を第三者に公開する場合のコミュニティサイト２０の画面の一例を図３に示す。
【００６４】
図３を参照すると、コミュニティサイト２０を閲覧する第三者は、所望の住所を指定してその場所の電波状況マップを検索し、自由に閲覧することができる。すなわち、第三者は、まず、インターネット５０を介してコミュニティサイト２０にアクセスし、トップページＧ９１を表示する。そして、所望の場所の住所を入力欄に入力し、詳細画面Ｇ９２にその場所の電波状況マップを表示させる。
【００６５】
上記のトップページＧ９１には、全国各地から集まった投稿情報のコメントが、投稿日時の新しい順に複数表示されている。そして、詳細画面Ｇ９２の電波状況マップ上の電波状況の評価を表すアイコンには、対応する投稿情報が紐付けられているので、例えば、詳細画面Ｇ９２を表示させた第三者が所望のアイコンをクリックすると、そのアイコンに紐付けられている投稿者の評価内容、コメント、測定日時、測定地点の住所などの投稿情報の内容が表示される。
【００６６】
次に、ステップＳ２の電波環境測定・投稿ＡＰ１０１の動作を図６のフローチャートを参照して詳細に説明する。
【００６７】
図６を参照すると、まず、電波環境測定・投稿ＡＰ１０１は、ユーザ端末１０の現在位置が基地局３００とデータ送受信可能な圏内かどうかを確認する（ステップＳ１０）。
【００６８】
圏内の場合（ステップＳ１０でＹＥＳに分岐した場合）、記憶部１３０に前回保存した１つまたは複数の投稿情報があるかどうかを確認し（ステップＳ１１）、投稿情報が存在する場合（ステップＳ１１でＹＥＳに分岐した場合）、当該投稿情報を記憶部１３０から取り出してコミュニティサイト２０に送信する（ステップＳ１２）。
【００６９】
投稿情報が存在しない場合（ステップＳ１１でＮＯに分岐した場合）、ステップＳ１２を
省略して次のステップに進む。
【００７０】
次に、電波環境測定・投稿ＡＰ１０１は、入出力部１１０のディスプレイに電波状況測定画面Ｇ１を表示する（ステップＳ１３）。
【００７１】
ユーザは、表示された電波状況測定画面Ｇ１で、測定する項目の１つまたは複数を選択する（ステップＳ１４）。
【００７２】
次に、電波環境測定・投稿ＡＰ１０１は、上記電波状況測定画面Ｇ１でユーザが選択した測定項目をそれぞれ測定する（ステップＳ１５）。
【００７３】
ここで、電波状況測定画面Ｇ１のそれぞれの項目の測定方法の概要について以下に説明する。
【００７４】
「受信感度」及び「干渉・雑音レベル」は、通信部１２０が基地局３００から受信した電波の強さ及び干渉・雑音レベルであるので、通信部１２０から取得できる。
【００７５】
「受信速度」については、まず、電波環境測定・投稿ＡＰ１０１がコミュニティサイト２０に測定用ダミーデータの送信を依頼し、コミュニティサイト２０はその依頼に対しダミーデータをユーザ端末１０に送信する。次に、電波環境測定・投稿ＡＰ１０１は、該ダミーデータの受信開始から受信終了までの時間と、受信した該ダミーデータの長さとから、以下の計算式（１）に従い受信速度を算出する。
【００７６】
・受信速度（ｂｐｓ）＝ダミーデータの長さ（ビット）÷受信時間（秒）・・・・（１）
「位置情報」については、位置測定部１４０が測定した緯度及び経度で示される現在の位置情報が取得される。なお、建物の屋内や地下街などで位置測定部１４０が現在位置を測定できない場合、後述のステップＳ１９での電波状況投稿情報作成時にユーザが手動で住所の情報を入力する。
【００７７】
次に、電波環境測定・投稿ＡＰ１０１は、上記の方法で測定された測定結果を測定結果ファイルとして記憶部１３０に格納すると共に、電波状況測定結果画面Ｇ２を作成し入出力部１１０のディスプレイに表示する。ユーザは、表示された測定結果の値を確認する（ステップＳ１７）。
【００７８】
なお、最初のデータ送受信可能圏内かどうかの確認で圏内ではなかった場合（ステップＳ１０でＮＯに分岐した場合）、ステップＳ１１からステップＳ１５までを省略し、上記の測定項目のうち位置情報以外の項目をすべて「測定不可」として処理をする（ステップＳ１６）。そして、測定結果ファイルを記憶部１３０に格納すると共に、電波状況測定結果画面Ｇ２を入出力部１１０のディスプレイに表示し、ユーザは、表示された測定結果の値を確認する（ステップＳ１７）。
【００７９】
次に、電波環境測定・投稿ＡＰ１０１は、電波状況投稿画面Ｇ３を入出力部１１０のディスプレイに表示する（ステップＳ１８）。
【００８０】
そして、ユーザは、電波状況投稿画面Ｇ３からその地点の評価及びコメントを入力し、投稿情報を作成する（ステップＳ１９）。
【００８１】
ここで、電波状況投稿画面Ｇ３のそれぞれの項目の入力方法の概要について以下に説明する。
【００８２】
「測定地点」については、建物の屋内や地下街などで位置測定部１４０が現在位置を測定できない場合、ユーザにより入出力部１１０のキーボードからその地点の住所が入力される。なお、位置測定部１４０が現在位置を測定できる場合、ここでユーザが入力した住所の情報は投稿情報データベース２２０に格納されるが、電波状況マップ２４０の作成時の位置情報としては使用されない。
【００８３】
「測定結果ファイル」は、ステップＳ１７でユーザが確認した測定結果の値を記憶部１３０に格納したファイルで、画面の入力項目の右側に表示される下向きの黒三角のアイコンを選択するとプルダウンメニューが表示され、以前に測定した結果を保存した測定結果ファイルも選択できる。これにより、以前の投稿の際に使用した以前の測定結果ファイルを再び使用し、以前に投稿したときのコメントに追加したいコメントを作成して投稿することもできる。
【００８４】
「評価」は、ステップＳ１７でユーザが確認した測定結果の値を基に、ユーザが判断したその地点の電波状況が入力される。画面の入力項目の右側に表示される下向きの黒三角のアイコンを選択するとプルダウンメニューが表示され、例えば、「良い」、「普通」、「悪い」、「接続不可」の中から１つが選択可能である。
【００８５】
「コメント」は、現在地点の電波状況についてユーザが自由に意見を入力できる項目であり、入出力部１１０のキーボードから文章が入力可能である。
【００８６】
なお、上記の「測定地点」及び「コメント」は、入出力部１１０のマイクロフォンから音声で入力し、その音声をユーザ端末１０内または外部の音声認識システムで文字に変換したものを入力するようにしてもよい。
【００８７】
次に、電波環境測定・投稿ＡＰ１０１は、再度ユーザ端末１０の現在位置が基地局３００とデータ送受信可能な圏内かどうかを確認する（ステップＳ２０）。
【００８８】
圏内の場合（ステップＳ２０でＹＥＳに分岐した場合）、上記ステップＳ１９で作成した投稿情報を、コミュニティサイト２０に送信する（ステップＳ２２）。
【００８９】
圏内ではない場合（ステップＳ２０でＮＯに分岐した場合）、上記ステップＳ１９で作成した投稿情報を記憶部１３０に格納する（ステップＳ２１）。
【００９０】
以上で、電波環境測定・投稿ＡＰ１０１は動作を終了する。
【００９１】
以上、説明したように、本実施形態では、単に電波の強弱だけでなく、需要が多くて電波状況の悪い（評価の低い）場所を容易に特定できるとともに、屋外だけでなく、通信事業者では調査に時間がかかる建物の屋内の電波状況も短期間に把握することができるという効果がある。
【００９２】
その理由は、屋外だけでなく、建物の屋内や地下街といった様々な場所にいる多数のユーザから、受信電波の強弱だけでなく受信速度やつながり具合といった電波の状況の測定結果及びユーザの評価を、収集しているからである。
【００９３】
［第２の実施形態］
次に、本発明の第２の実施形態について説明する。
【００９４】
なお、以下の説明では、第１の実施形態の構成要素及び動作と重複する本実施形態のそれらについてはその説明を省略する。
【００９５】
図７は第２の実施形態を示すブロック図である。
【００９６】
図７を参照すると、第２の実施形態では、第１の実施形態におけるユーザ端末１０の制御部１００に投票アプリケーションプログラム（以下、「投票ＡＰ」とも言う。）１０２が追加されるとともに、コミュニティサイト２０に投票制御部２５０が追加されている。
【００９７】
第１の実施形態では、ユーザが作成する投稿情報にユーザによる電波状況の「評価」を含めることとしたが、本実施形態では投稿情報にはそのような「評価」を含めず、ある地域内から所定の投稿数があった場合に、その地域内から情報を投稿した各ユーザに電波状況の評価の投票を促し、その投票による評価をコミュニティサイト２０の投票制御部２５０が集計し、結果を当該地域の評価とする。
【００９８】
なお、上記の「地域」（以下、「エリア」とも言う。）とは、通常は住所の「〜町」や「〜村」の範囲とするが、郊外ではもっと広い（例えば「〜町」や「〜村」を複数合わせた）範囲に設定してもよく、逆に都心や繁華街ではもっと狭い（例えば「〜丁目」）範囲に設定してもよい。さらに、緯度・経度がある一定範囲の数値で示される場所に識別名（例えば「渋谷駅ハチ公前エリア」や「新宿駅西口エリア」など）を設けることでもよい。
【００９９】
次に本実施形態の動作について説明する。
【０１００】
動作の概要については図５のフローチャートとほぼ同じだが、本実施形態では、まず、ステップＳ１において、ユーザは電波環境測定・投稿ＡＰ１０１に加えて、投票ＡＰ１０２もユーザ端末１０にダウンロードし制御部１００に格納しておく。
【０１０１】
次に、ステップＳ２において、電波環境測定・投稿ＡＰ１０１の動作を示すフローチャート図６のステップＳ１９を、「コメントを入力」と読み替える。また、電波状況投稿画面Ｇ３は「評価入力欄」が無い構成となる。
【０１０２】
次に、ステップＳ４において、あるエリア内からの投稿数が所定数に達した場合、投票制御部２５０は、そのエリアの情報を投稿した各ユーザにメール等により、電波状況の評価の投票を依頼するための投票依頼情報を各ユーザのユーザ端末１０に送信する。
【０１０３】
そして、投票依頼情報を受けたユーザは、ユーザ端末１０内の投票ＡＰ１０２を起動しそのエリアの電波状況を「良い」、「普通」または「悪い」の３段階で評価し、その評価を投票情報としてコミュニティサイト２０に返信する。
【０１０４】
そして、投票制御部２５０は、返信された投票情報から得られる評価を集計し投票結果として電波状況マップ作成部２１０に渡す。電波状況マップ作成部２１０は、該投票結果を参照して電波状況マップ２４０を更新する。
【０１０５】
つまり、電波状況マップ上のアイコン表示は、当初は例えばドット「・」とし、上述の投票結果によりアイコンを変更する。
【０１０６】
ここで、投票結果によるアイコンの変更方法の一例を以下に示す。
【０１０７】
例えば、投票情報から得られる評価が「良い」場合は２点、「普通」の場合は１点、「悪い」場合は０点とし、当該エリア内から投票した全ユーザの評価を上記点数に従って合計し、その合計を全投稿数で割って平均値を計算する。そして、その平均値が１点以上の場合、電波状況マップ２４０上の当該エリアに表示されたアイコンを白丸「○」に変更して「電波環境は良いが一部悪い場所あり」というコメントを付加し、上記平均値が１点未満の場合、当該アイコンを黒丸「●」に変更して「電波環境は悪いが一部良い場所あり」というコメントを付加する。
【０１０８】
このようにして、当該エリア内の電波状況を地図画像上に表示した電波状況マップ２４０が作成される。
【０１０９】
以上、説明したように、本実施形態では、特定の場所または特定の時点の状況ではなく、あるエリア内でのある一定期間における、複数のユーザによる電波状況の評価の傾向がわかるという効果がある。
【０１１０】
その理由は、個人の評価だけではなく、あるエリア内から投稿した複数のユーザの投票によりそのエリアの電波状況の評価が決まるからである。
【符号の説明】
【０１１１】
１０    ユーザ端末
２０    コミュニティサイト
３０    通信事業者
４０    通信回線
５０    インターネット
１００    制御部
１０１    電波環境測定・投稿アプリケーションプログラム
１０２    投票アプリケーションプログラム
１１０    入出力部
１２０    通信部
１３０    記憶部
１４０    位置測定部
２００    投稿情報収集部
２１０    電波状況マップ作成部
２２０    投稿情報データベース
２３０    地図データベース
２４０    電波状況マップ
２５０    投票制御部
３００    基地局
Ｇ１    電波状況測定画面
Ｇ２    電波状況測定結果画面
Ｇ３    電波状況投稿画面
Ｇ９１    トップページ
Ｇ９２    詳細画面
【図１】
2014023129.tif 000003
【図２】
2014023129.tif 000004
【図３】
2014023129.tif 000005
【図４】
2014023129.tif 000006
【図５】
2014023129.tif 000007
【図６】
2014023129.tif 000008
【図７】
2014023129.tif 000009